(57)【特許請求の範囲】
【請求項１】
医用ライン用フローシステムであって、
フローコンポーネント（１）を備えており、
フローコンポーネント（１）は、一次流体用のメインダクト（２）と、バルブ（８）を介してメインダクト（２）に連通している雌型ルアーコーン（４）を備えた雌型ルアーロック型の少なくとも１つの側方管状接続具（３）と、を有しており、
バルブ（８）は、弾性変形可能な材料でできたカップ型部材（８）の底壁によって構成された横ダイアフラム（１０）を、備えており、
バルブ（８）の外周エッジ（１１）は、前記側方管状接続具（３）の環状弁座（１２）に対して流体密封接触で通常は保持されており、
更に、二次流体の雄型ルアーコーン導入具（Ｈ）を備えており、
雄型ルアーコーン導入具は、雌型ルアーコーン（４）を備えた前記側方管状接続具（３）内に挿入して、横ダイアフラム（１０）を開位置に変位させることができ、
前記ダイアフラム（１０）は、前記導入具（Ｈ）によるスラストの直接接触の結果として前記開位置に押されるように予め設けられており、
前記側方管状接続具（３）は、前記導入具（Ｈ）が前記ダイアフラム（１０）にスラスト接触する前に、前記導入具（Ｈ）と流体密封で連結するように、構成されており、
前記側方管状接続具（３）は、比較的曲がりやすい弾性材料でできており、前記導入具（Ｈ）と流体密封連結するのに続いて半径方向に弾性的に拡張可能であり、
雌型ルアーロック型の前記側方管状接続具（３）の側壁は、壁本体と、壁本体の表面に形成された螺旋状のスレッドと、からなっており、前記壁本体は、直径方向に対向している２つの部分（１５）と他の部分（１４）とからなっており、前記２つの部分（１５）は、前記側方管状接続具（３）の軸方向に直線的に延びており、前記他の部分（１４）よりも薄くなっている、
ことを特徴とするフローシステム。
【請求項２】
前記ダイアフラム（１０）が、前記雌型ルアーコーン（４）に放射状に面している軸方向突起（１３）の輪を、有している、
請求項１記載のフローシステム。
【請求項３】
前記ダイアフラム（１０）の外周エッジ（１１）は、前記カップ型部材（８）の側壁（９）によって加えられる軸方向スラストの作用の下で、前記環状弁座（１２）に対して流体密封接触で通常は保持されており、前記外周エッジ（１１）の半径方向収縮を引き起こす、前記導入具（Ｈ）と前記軸方向突起（１３）との間の相互作用に続いて、使用中に生じる前記ダイアフラム（１０）の偏位の結果として、前記弁座（１２）から離れるようになっている、
請求項２記載のフローシステム。
【請求項４】
前記メインダクト（２）が、サイフォン防止バルブ（８）に対応する位置において、収束−発散形状の軸方向断面部分（１６、１７）を有している、
請求項１〜３のいずれか一つに記載のフローシステム。
【発明の詳細な説明】
【技術分野】
【０００１】
本発明の主題は、特に血液透析用の医用ライン用のフローシステムであり、それは、一次流体用のメインダクトと少なくとも１つの側方管状接続具とを有するフローコンポーネントを、備えたタイプであり、側方管状接続具は、バルブを介してメインダクトと連結している雌型ルアーコーンを備えている。
【背景技術】
【０００２】
上記タイプのフローコンポーネントは、本出願人の名前で出願された欧州特許第１６６１５９９号明細書により知られており、それにおいては、バルブは、いわゆるサイフォン防止バルブであり、そのバルブは、弾性変形可能な材料でできたカップ型部材の底壁によって構成されたダイアフラムを備えており、ダイアフラムの外周エッジは、側方管状接続具の環状弁座に対して流体密封接触に通常は保持されている。本出願人の名前で出願された欧州特許第１０９３８２８号明細書にも記載されているように、このバルブの封止エッジは、側方管状接続具の雌型ルアーコーン内に流体の雄型ルアーコーン導入具が挿入される際に、対応する環状弁座から離れて開状態となることができる。よって、それは、いわゆる「ルアー作動」タイプの二方弁であり、その開きは、側方管状接続具内に導入される流体の存在によるよりは、機械的に制御される。
【０００３】
機械的作動は、この種のバルブの場合には、追加の部材の助けによって、通常は得られる。例えば、本出願人の名前で出願された伊国特許第１２９１５０８号明細書では、雌型ルアーコーン接続具内に流体の雄型ルアーコーン導入具が挿入された結果として得られたダイアフラムバルブの開作動は、接続具内で軸方向に可動であり且つバルブのダイアフラムに載っている、付属の筒状スライダーの助けによって、得られる。したがって、バルブの開作動は、雄型ルアーコーン導入具により順に動かされる付属のスライダーによってダイアフラムに加わる軸方向スラストの結果として、得られる。
【０００４】
同様の手段が、米国特許第５，５６５，９３８号明細書に記載されている。
【０００５】
この構成は、比較的複雑であり、更に、雄型ルアーコーン導入具が管状接続具の雌型ルアーコーンとの気密シールを提供する前に、付属のスライダーによってバルブが開かれて、流体の汚染及び漏れという問題が生じるリスクをもたらしている。
【先行技術文献】
【特許文献】
【０００６】
【特許文献１】欧州特許第１６６１５９９号明細書
【特許文献２】欧州特許第１０９３８２８号明細書
【特許文献３】米国特許第５，５６５，９３８号明細書
【特許文献４】伊国特許第１２９１５０８号明細書
【発明の概要】
【０００７】
本発明の目的は、上述した不具合を解消することであり、また、請求項１の特徴部で画定された（及び前述した欧州特許第１６６１５９９号明細書に記載され且つ示されたものに概ね相当している）タイプの医用フローシステムを提供することであり、それにおいては、流体の導入具の挿入時のバルブの開作動は、正確且つ信頼できる方法で、且つ、汚染のリスク無しに、起こる。
【０００８】
本発明によれば、上記目的は、流体の雄型ルアーコーン導入具によるスラストの直接接触の結果として、バルブのダイアフラムが上記開位置に向かって押されるように予め設けられている、という事実によって、実現され、また、側方管状接続具が、上記導入具が上記ダイアフラムとスラスト接触する前に上記導入具と流体密封で連結するように、構成されている、という事実によって、実現される。
【０００９】
本発明の好ましい実施形態によれば、側方管状接続具が、比較的曲がりやすい弾性材料でできており、便利なことに、流体の上記導入具が側方管状接続具の雌型ルアーコーンに流体密封接触するのに続いて半径方向に弾性的に拡張可能である。
【００１０】
側方管状接続具の半径方向拡張は、便利なことに、側壁を局所的に軸方向に薄くすることで、得ることができる。
【図面の簡単な説明】
【００１１】
【図１】本発明の医用ライン用フローシステムの概略斜視図である。
【図２】図１のシステムの拡大平面図である。
【図３】図２の線III−IIIによる縦断面図である。
【図４】図３の線IV−IVによる断面図である。
【図５】フローコンポーネントのサイフォン防止バルブの開閉部材の斜視図である。
【図６】フローコンポーネントの側方管状接続具の正面図である。
【図７】図６の線VII−VIIによる軸方向断面図である。
【発明を実施するための形態】
【００１２】
本発明を添付した図面を参照しながら詳細に説明するが、図面は、実施例を限定しない目的で純粋に提供されている。
【００１３】
図示された本発明のフローシステムは、特に医用血液透析ラインに使用される。
【００１４】
フローシステムは、基本的には、メインダクト２と側方管状接続具３とを有するフローコンポーネント１を備えている。メインダクト２は、使用中に、矢印Ａで示される方向に、一次流体の流れが横切るように、構成されている。接続具３は、ダクト２内へ二次流体を導入するためにダクト２に対して垂直方向に延びている。
【００１５】
側方管状接続具３は、雌型ルアーロックコネクタのような形をしている。接続具３のルアーコーン内面は、符号４で示されている。接続具３の内端は、メインダクト２から横方向に突出している環状カラー６に、流体密封方法で固定された、環状フランジ５を、有している。
【００１６】
環状フランジ５と環状カラー６との間には、二方弁用のチャンバー７が画定されており、その一般的構成は、既に引用されている欧州特許第１０９３８２８号明細書及び欧州特許第１６６１５９９号明細書で知られている。詳細には、図５においてより明瞭に見えるように、バルブは、弾性材料例えばシリコーンでできた、裏返されたカップのような形をした、部材８からなっている。部材８の側壁９は、チャンバー７の底の上に位置している。部材８の、符号１０で示された底壁は、弾性変形可能な横ダイアフラムを、画定している。部材８の外周エッジ１１は、通常は、円錐表面を備えた環状弁座１２に対して、密封接触して設けられている。弁座１２は、側方管状接続具３の環状フランジ５内に形成されている。密封接触は、カップ型部材８の側壁９によってダイアフラム１０に加えられる軸方向スラスト（axial thrust）によって、得られる。
【００１７】
ダイアフラム１０は、軸方向突起１３の輪（図示された例では４個）を備えて形成されており、それらは、側方管状接続具３の雌型ルアーコーン４の基部に、放射状に面しており、その作用は、以下で説明する。
【００１８】
側方管状接続具３は、有利に、２つの特性を有している。第１の特性は、次の通りである。すなわち、側方管状接続具３は、比較的曲がりやすい、すなわち、柔らかい、弾性材料（例えば、ポリエチレン−テレフタレート及び類似物）でできており、好ましくは、その側壁は、局所的に、軸方向で薄くなっており、例えば、図７で示されるように、直径方向に対向している２つの部分１５が他の部分１４よりも薄くなっており、部分１４は厚い。
【００１９】
第２の特性は、次の通りである。すなわち、雌型ルアーコーンの内面４は、流体の一般的な雄型ルアーコーン導入具のサイズに比例した最小の許容可能範囲で得られており、該サイズは、部分的に、図３及び図４において符号Ｈで示される破線によって概略的に、示されている。
【００２０】
これらの特性は、以下で説明する作用効果を達成するのに寄与している。
【００２１】
図示された例の場合には、メインダクト２は、チャンバー７に軸方向に対応する領域に、収束−発散（convergent-divergent）形状を有する内壁を備えた部分１６を、有している。この形状は、部分１６の内壁の円形１７を局所的に狭くすることによって、画定されている。部分１６の（一次流体の流れ方向Ａに対して）上流には、収束部が、第１半径方向通路１８を通ってチャンバー７に連通して、画定されており、部分１６の下流には、発散部が、第２半径方向通路１９を通ってチャンバー７に同様に連通して、画定されている。この形態は、バルブの作動に対して厳密には必須ではないが、既に引用されている欧州特許第１６６１５９９号明細書に記載され且つ図示されている物に相当しており、以下に説明するような作用効果を有している。
【００２２】
作動においては、先に説明したように、カップ型部材８によって画定されたバルブが、通常では閉状態に設定されており、その状態では、側壁９によって加えられる軸方向スラストの結果として、ダイアフラム１０の周エッジ１１が環状弁座１２に対して流体密封接触で保持されている。
【００２３】
メインダクト２内に二次流体を導入するために（或いは、メインダクト２から流体を導出するために）、雄型ルアーコーン導入具Ｈは、側方管状接続具４内に軸方向に導入され、その中に押し込まれる。上述した最小許容範囲を考慮して、導入具Ｈの雄型ルアーコーンと側方管状接続具３の雌型ルアーコーン４との間の気密シールは、ダイアフラム１０の軸方向突起１３から一定距離で、すなわち、大凡、図３及び図４において示された領域で、得られている。導入具Ｈが更に軸方向に進むことは、上述した側方管状接続具３が半径方向に曲がりやすく且つ場合によっては局所的に薄い形態であることによって可能となっており、ダイアフラム１０の軸方向突起１３と相互作用することと、側壁９によって加えられたスラスト作用に抗してダイアフラム１０の周エッジ１１が弁座１２から離れることとを、もたらす。このように、導入具Ｈからチャンバー７すなわちメインダクト２への、又は、その逆の、二次流体の流れが可能となる。この段階では、収束−発散形状を有する断面の部分１６は、チャンバー７内での二次流体の沈滞を防ぐように構成されたベンチュリ管を、画定している。一次流体の流れの一部は、第１通路１８を通ってチャンバー７内に入り込み、発散形状の領域での一次流体の流れによって得られた噴出効果によって取り込まれて、第２通路１９を通って出て来る。このように、メインダクト２内の一次流体は、チャンバー７を採用したことの効果だけでなく、チャンバー７を連続して洗い流すという有効作用を、実現する。
【００２４】
導入具Ｈが側方管状接続具３から取り出されると、側方管状接続具３は、非変形状態に再び戻され、カップ型部材８の側壁９は、ダイアフラム１０を閉位置に戻し、周エッジ１１を流体密封接触で環状弁座１２に再び押す。
【００２５】
もちろん、構成及び実施形態の詳細は、記載され示されたことに対して、次の請求の範囲の欄で画定された本発明の範囲から逸脱することなく、大きく変更してもよい。
【図１】
0006470686.tif 000002
【図２】
0006470686.tif 000003
【図３】
0006470686.tif 000004
【図４】
0006470686.tif 000005
【図５】
0006470686.tif 000006
【図６】
0006470686.tif 000007
【図７】
0006470686.tif 000008